(57)【要約】      （修正有）【課題】装着部材（たとえば、コネクタ、センサ等）の燃料電池スタックへの装着を効率よく行うことを可能にするスタックへの装着部材装着方法とその装置を提供する。【解決手段】（１）複数の装着部材（例えば、セル電圧モニタ用コネクタ）を連結した装着部材連結体４０を、コネクタ装着装置５０の移動治具６０にスライド可能に保持し、移動治具６０を固定治具５１に対して移動させて装着部材連結体４０の複数の装着部材（例えば、セル電圧モニタ用コネクタ）を、順次、燃料電池スタックに組み付けていく工程と、を有するスタック２３への装着部材の装着方法。（２）固定治具５１と、固定治具５１にスライド可能な移動治具６０と、を有し、移動治具６０は、装着部材連結体４０をスライド可能に保持する連結体保持部６１と、Ｕターン部６２とを備えている、スタック２３への装着部材装着装置５０。【選択図】        図１
2006339100.tif 000002
【特許請求の範囲】
【請求項１】
複数の装着部材を一体的に連結保持した連結体を、固定治具と該固定治具にスライド可能な移動治具とを有する装着部材装着治具の前記移動治具にスライド可能に装着する工程と、
前記移動治具を前記固定治具に対して移動させることで、前記複数の装着部材を順次燃料電池スタックに固定させる工程と、
を有する燃料電池スタックへの装着部材装着方法。
【請求項２】
前記装着部材がセル電圧モニタ用コネクタである請求項１記載の燃料電池スタックへの装着部材装着方法。
【請求項３】
前記移動治具の移動方向は燃料電池スタックのセル積層方向である請求項１または請求項２記載の燃料電池スタックへの装着部材装着方法。
【請求項４】
固定治具と、
該固定治具に支持された、前記固定治具にスライド可能な移動治具と、
を有し、
前記移動治具は、複数の装着部材を一体的に保持した連結体をスライド可能に保持する連結体保持部と、該連結体保持部の一端につながりＵターンするＵターン部とを備えている、燃料電池スタックへの装着部材装着装置。
【請求項５】
前記装着部材がセル電圧モニタ用コネクタである請求項４記載の燃料電池スタックへの装着部材装着装置。
【請求項６】
前記移動治具の移動方向は燃料電池スタックのセル積層方向である請求項４または請求項５記載の燃料電池スタックへの装着部材装着装置。
【発明の詳細な説明】
【技術分野】
【０００１】
本発明は、燃料電池スタックへの装着部材（装着部材は、たとえばセル電圧モニタ用コネクタ、温度センサ等）装着方法とその装置に関する。
【背景技術】
【０００２】
特開２００２−３７２２６２号公報、特開２００４−０７９１９２号公報は、燃料電池スタックに組付けられるセル電圧モニタ用コネクタを開示している。そこでは、コネクタは、１端子ずつ、または数端子分が一体化されたものが、個別に燃料電池スタックの燃料電池セパレータに取付けられていく。
【特許文献１】特開２００２−３７２２６２号公報
【特許文献２】特開２００４−０７９１９２号公報
【発明の開示】
【発明が解決しようとする課題】
【０００３】
従来のコネクタの燃料電池スタックへの装着方法には、１端子ずつ、または数端子分が一体化されたものが、個別に燃料電池スタックの燃料電池セパレータに取付けられていくので、手間がかかるという課題がある。
【０００４】
本発明の目的は、装着部材（装着部材は、たとえばセル電圧モニタ用コネクタ、温度センサ等、各種のコネクタ、センサを含む）の燃料電池スタックへの装着を効率よく行うことを可能にする燃料電池スタックへの装着部材装着方法とその装置を提供することにある。
【課題を解決するための手段】
【０００５】
上記課題を解決する、そして上記目的を達成する、本発明は、つぎのとおりである。
（１）  複数の装着部材を一体的に連結保持した連結体を、固定治具と該固定治具にスライド可能な移動治具とを有する装着部材装着治具の前記移動治具にスライド可能に装着する工程と、
前記移動治具を前記固定治具に対して移動させることで、前記複数の装着部材を順次燃料電池スタックに固定させる工程と、
を有する燃料電池スタックへの装着部材装着方法。
（２）  前記装着部材がセル電圧モニタ用コネクタである（１）記載の燃料電池スタックへの装着部材装着方法。
（３）  前記移動治具の移動方向は燃料電池スタックのセル積層方向である（１）または（２）記載の燃料電池スタックへの装着部材装着方法。
（４）  固定治具と、
該固定治具に支持された、前記固定治具にスライド可能な移動治具と、
を有し、
前記移動治具は、複数の装着部材を一体的に保持した連結体をスライド可能に保持する連結体保持部と、該連結体保持部の一端につながりＵターンするＵターン部とを備えている、燃料電池スタックへの装着部材装着装置。
（５）  前記装着部材がセル電圧モニタ用コネクタである（４）記載の燃料電池スタックへの装着部材装着装置。
（６）  前記移動治具の移動方向は燃料電池スタックのセル積層方向である（４）または（５）記載の燃料電池スタックへの装着部材装着装置。
【発明の効果】
【０００６】
上記（１）の燃料電池スタックへの装着部材（装着部材は、たとえばセル電圧モニタ用コネクタ、温度センサ等、各種のコネクタ、センサを含む）装着方法によれば、複数の装着部材を一体的に保持した連結体を形成して固定治具と移動治具を有する装着部材装着治具の移動治具にスライド可能に装着しておき、移動治具を固定治具に対して移動させるという１操作で、装着部材連結体の並んでいる複数の装着部材を順に燃料電池スタックのセルのセパレータに装着していくので、従来のように１つずつコネクタを装着していた場合（したがってコネクタの数だけの工数を要していた場合）に比べて、組み付け工数が低減し、装着部材の燃料電池スタックへの装着を効率よく行うことができる。
上記（２）の燃料電池スタックへの装着部材（装着部材は、たとえばセル電圧モニタ用コネクタ、温度センサ等、各種のコネクタ、センサを含む）装着装置によれば、固定治具と移動治具を有し、移動治具が、装着部材を一体的に保持した連結体をスライド可能に保持する連結体保持部を備えているので、移動治具を固定治具に対して移動させるという１工数で、連結体の並んでいる複数の装着部材を順に燃料電池スタック（のセルのセパレータ）に装着していくことができ、従来のように１つずつコネクタを装着していた場合（したがってコネクタの数だけの工数を要していた場合）に比べて、組み付け工数が低減し、装着部材の燃料電池スタックへの装着を効率よく行うことができる。また、移動治具がＵターン部を備えているので、移動治具の送り方向後ろ側から移動治具の前端に、連結体の未装着装着部材を順次供給していくことができ、連結体の未装着装着部材が現在装着されつつある装着部材の装着の邪魔にならず、かつ、現在装着されつつある装着部材の装着状況を目視することができ、装着を容易、かつ確実にする。
【発明を実施するための最良の形態】
【０００７】
以下に、本発明の燃料電池スタックへの装着部材（装着部材は、たとえばセル電圧モニタ用コネクタ、温度センサ等、各種のコネクタ、センサを含む）装着方法とその装置を、図１〜図１０を参照して説明する。
本発明の燃料電池スタックへの装着部材（装着部材は、たとえばセル電圧モニタ用コネクタ、温度センサ等、各種のコネクタ、センサを含む）装着方法が適用される燃料電池１０は、たとえば固体高分子電解質型燃料電池である。ただし、燃料電池は、セパレータを有するものであればよく、固体高分子電解質型燃料電池１０に限るものではない。
燃料電池１０は、たとえば燃料電池自動車に搭載される。ただし、自動車以外に用いられてもよい。
【０００８】
固体高分子電解質型燃料電池（セル）１０は、図８〜図１０に示すように、膜−電極アッセンブリ（ＭＥＡ：Membrane-Electrode Assembly ）とセパレータ１８との積層体からなる。
膜−電極アッセンブリは、イオン交換膜からなる電解質膜１１とこの電解質膜の一面に配置された触媒層からなる電極（アノード、燃料極）１４および電解質膜の他面に配置された触媒層からなる電極（カソード、空気極）１７とからなる。膜−電極アッセンブリとセパレータ１８との間には、アノード側、カソード側にそれぞれ拡散層１３、１６が設けられる。
膜−電極アッセンブリとセパレータ１８を重ねてセルモジュール１９を構成し、セルモジュール１９を積層してセル積層体とし、セル積層体のセル積層方向両端に、ターミナル２０、インシュレータ２１、エンドプレート２２を配置し、両端のエンドプレート２２をセル積層体の外側でセル積層方向に延びる締結部材（たとえば、テンションプレート２４）にボルト・ナット２５にて固定し、一端のエンドプレートに設けた調整ネジにてその内側に設けたバネを介してセル積層体にセル積層方向の締結荷重をかけ、燃料電池スタック２３を構成する。
【０００９】
セパレータ１８には、発電領域において、アノード１４に燃料ガス（水素）を供給するための燃料ガス流路２７が形成され、カソード１７に酸化ガス（酸素、通常は空気）を供給するための酸化ガス流路２８が形成されている。また、セパレータ１８には冷媒（通常、冷却水）を流すための冷媒流路２６も形成されている。セパレータ１８には、非発電領域において、燃料ガスマニホールド３０、酸化ガスマニホールド３１、冷媒マニホールド２９が形成されている。燃料ガスマニホールド３０は燃料ガス流路２７と連通しており、酸化ガスマニホールド３１は酸化ガス流路２８と連通しており、冷媒マニホールド２９は冷媒流路２６と連通している。
燃料ガス、酸化ガス、冷媒は、セル内において互いにシールされている。各セルモジュール１９のＭＥＡを挟む２つのセパレータ１８間は、第１のシール部材３２によってシールされており、隣接するセルモジュール１９同士の間は、第２のシール部材３３によってシールされている。
【００１０】
各セル１０（１セルモジュールの場合は、セル１０はセルモジュール１９と同じになる）の、アノード１４側では、水素を水素イオン（プロトン）と電子に変換する電離反応が行われ、水素イオンは電解質膜１１中をカソード１７側に移動し、カソード１７側では酸素と水素イオンおよび電子（隣りのＭＥＡのアノードで生成した電子がセパレータを通してくる、またはセル積層方向一端のセルのアノードで生成した電子が外部回路を通して他端のセルのカソードにくる）から水が生成され、次式にしたがって発電が行われる。
アノード側：Ｈ2 →２Ｈ+ ＋２ｅ- 
カソード側：２Ｈ+ ＋２ｅ- ＋（１／２）Ｏ2 →Ｈ2 Ｏ
【００１１】
セパレータ１８は、カーボンセパレータ、メタルセパレータ、メタルセパレータと樹脂フレームとの組合せ、等の何れかからなるが、図示例では、セパレータ１８がカーボンセパレータの場合を示している。ただし、セパレータ１８はカーボンセパレータに限るものではない。
【００１２】
燃料電池スタック２３において、各セル１０の、電解質膜１１を挟んで対向する２つのセパレータ１８間の電位差は、最大、たとえば約１ボルトであり、隣接するセル１０の互いに接触する２つのセパレータ１８間の電位差は、互いに導通しているので０ボルトである。
燃料電池スタック２３において、セル１０を２００個積層すると、スタック両端のターミナル２０間の電位差は約２００ボルトとなり、それを並列に２列配置して、電気的には直列接続すると（１つのスタックの総プラスをもう一つのスタックの総マイナスに接続すると）、２列のスタックの総プラスと総マイナス間の電位差は約４００ボルトとなり、車両で必要な電圧をとることができる。
【００１３】
スタック２３、各セル１０で正規の電位差が生じていることを確認するために、燃料電池スタック２３の各セル１０に、または複数のセル毎に、セル電圧モニタ用コネクタ４１が装着される。
従来は、コネクタが装着されるセルのセパレータに各コネクタを、１つずつ、手作業で取り付けていたが、手間のかかる作業となっていた。本発明は、セル電圧モニタ用コネクタ４１を効率よくスタック２３のセル１０に装着する方法とその方法の実施に直接用いる装置に関する。
【００１４】
まず、本発明の燃料電池スタックへのセル電圧モニタ用コネクタ装着装置を、図１〜図７を参照して説明する。
本発明の燃料電池スタックへのセル電圧モニタ用コネクタ装着装置５０は、固定治具５１と、固定治具５１に支持された、固定治具５１に対してスライド可能な移動治具６０とを、有する。移動治具６０の移動方向は、燃料電池スタック２３のセル積層方向（燃料電池スタック２３の一端のエンドプレートと他端のエンドプレートとを結ぶ方向）、または燃料電池スタック２３のセル積層方向と交わる方向でセル積層体の周囲をまわる方向、または燃料電池スタック２３のセル積層方向と燃料電池スタック２３のセル積層方向と交わる方向でセル積層体の周囲をまわる方向との合成方向、の何れかである。
【００１５】
固定治具５１は燃料電池スタック２３のセル積層方向に延びるセル積層方向伸長部５２を有している。固定治具５１はセル積層方向伸長部５２のセル積層方向両端部に、セル積層方向伸長部５２に対して直角に曲がって燃料電池スタック２３側に短く延びる引っかけ部５３を有しており、この引っかけ部５３をスタック２３のエンドプレート５２のセル積層方向外側面に引っかけてスタック２３に対して位置を固定する。固定治具５１は上下ガイド面５４、５５を有し、この上下ガイド面５４、５５で移動治具６０のスタック積層方向の固定治具５１に対するスライドを許しながら、移動治具６０の上下方向位置を出す。固定治具５１は上下ガイド面５４、５５の何れか少なくとも一面に、たとえば溝等からなる、横ガイド面５６を有し、この横ガイド面５６で移動治具６０のスタック積層方向の固定治具５１に対するスライドを許しながら、移動治具６０の横方向位置（上下方向と直交する方向の位置）を出す。
【００１６】
移動治具６０は、複数のセル電圧モニタ用コネクタ４１を可撓テープ４２（片面粘着テープ）に列状に粘着させたコネクタ連結体４０をスライド可能に保持するコネクタ連結体保持部６１と、コネクタ連結体保持部６１の一端（コネクタをスタックに装着する際に移動治具６０を送る方向の前端）につながりＵターンする（上下方向に１８０度曲がって後方に延びるようにＵターンする）Ｕターン部６２とを備えている。
コネクタ連結体保持部６１は、コネクタ連結体４０の上下ガイド面５４、５５にスライド可能に接触する上下壁６４、６５を有するとともに、横ガイド面５６にスライド可能に接触する（横ガイド面５６が溝の場合は該溝内に突入する）突起６３を有する。コネクタ連結体保持部６１は、移動治具６０のスタック積層方向の固定治具５１に対するスライドを許しながら、上下壁６４、６５によって固定治具５１の上下ガイド面５４、５５に上下方向に拘束され、かつ、突起６３によって固定治具５１の横ガイド面５６に横方向に拘束される。
Ｕターン部６２は、コネクタ連結体４０の未装着コネクタ４１を、後方からコネクタ連結体保持部６１の送り方向前端に、順次、供給していく。
【００１７】
つぎに、上記装置を用いて実施される、本発明の燃料電池スタックへの装着部材装着方法を、図１〜図７を参照して説明する。装着部材４１は、たとえばセル電圧モニタ用コネクタ、温度センサ等である。以下の説明では、装着部材４１がセル電圧モニタ用コネクタ４１（装着部材４１とセル電圧モニタ用コネクタとは同じ部材のため、セル電圧モニタ用コネクタの符号も４１である）である場合を例にとって説明する。ただし、装着部材４１はセル電圧モニタ用コネクタ４１に限るものではなく、温度センサ等であってもよい。温度センサの場合は以下の説明でセル電圧モニタ用コネクタ４１を温度センサ４１とすればよい。
本発明の燃料電池スタックへの装着部材装着方法は、（ロ−１）複数の装着部材４１（たとえば、セル電圧モニタ用コネクタ４１、温度センサ等、各種のコネクタ、センサを含む）を一体的に連結保持した連結体４０（装着部材４１がセル電圧モニタ用コネクタ４１の場合はコネクタ連結体４０）を、固定治具５１と該固定治具５１にスライド可能な移動治具６０とを有する装着部材装着治具５０の移動治具６０にスライド可能に装着する工程と、（ロ−２）移動治具６０を固定治具５１に対して移動させることで、複数の装着部材４１（たとえば、セル電圧モニタ用コネクタ４１、温度センサ等、各種のコネクタ、センサを含む）を順次燃料電池スタック２３に固定させる工程と、を有する。
本発明の燃料電池スタック２３へのセル電圧モニタ用コネクタ４１の装着方法は、
（イ）複数のセル電圧モニタ用コネクタ４１を可撓テープ４２に列状に粘着させてコネクタ連結体４０を形成する工程と、
（ロ）（ロ−１）固定治具５１と固定治具５１にスライド可能な移動治具６０とを有するコネクタ装着装置５０の移動治具６０にコネクタ連結体４０をスライド可能に保持し、
（ロ−２）移動治具６０を固定治具５１に対して移動させてコネクタ連結体４０の複数のセル電圧モニタ用コネクタ４１を、順次、燃料電池スタック２３のセパレータ１８に組み付けていく工程と、
を有してもよい。
【００１８】
上記の（イ）の工程におけるコネクタ連結体４０の形成を、さらに詳しく説明する。
セル電圧モニタ用コネクタ４１は、セパレータ１８に接触される金属製の接点（図示略）と該接点を保持しセパレータ１８に装着される側面視がコ状状の非導電性（たとえば、樹脂製）ハウジングを有する。ハウジングのコ字の両脚４１ａでセパレータ１８を挟み、ハウジングのコ字の両脚連結部４１ｂの背面で可撓テープ４２の片面に粘着剤で取り外し可能に接着される。コネクタ４１の可撓テープ４２への取付けは１列に間隔をおかずに取付けられる。コネクタ連結体４０は、ハウジングが無いところ、すなわちテープ４２だけの所で、テープ４２が屈曲することにより、屈曲可能である。
コネクタ連結体４０をスタック２３のセパレータ１８に装着した後、可撓テープ４２はコネクタ４１から取り外されて除去されてもよいし、あるいは、取り外さないでコネクタ４１に取り付けたままとしてもよい。
セル電圧モニタ用コネクタ４１のハウジングのコ字の両脚４１ａをセパレータ１８に向けた状態でセル電圧モニタ用コネクタ４１を移動治具６０に保持させてセル電圧モニタ用コネクタ４１をセパレータ１８に装着する。この際、コネクタ４１のハウジングのコ字の両脚４１ａをセパレータ１８間に挿入することが容易となるように、セル電圧モニタ用コネクタ４１のハウジングのコ字の両脚４１ａの先端部を先細りとし、セパレータ１８のコネクタ４１装着部は先を丸めるか、または先細りとすることが望ましい。
【００１９】
上記（ロ）（（ロ−１）の工程と（ロ−２）の工程を含む）の工程におけるコネクタ４１の燃料電池スタック２３のセパレータ１８への組み付けをさらに詳しく説明する。
セル電圧モニタ用コネクタ４１のスタック２３への装着においては、固定治具５１の引っかけ部５３を燃料電池スタック２３のエンドプレート５２に引っかけ、固定する。
ついで、（ロ−１）コネクタ連結体４０を移動治具６０にセットする。
ついで、（ロ−２）移動治具６０を固定治具５１の端から通し、ファスナを閉める要領で、列状態のセル電圧モニタ用コネクタ４１を、一端から他端に向かって順に、スタック２３に組み付けていき、組み付けを完了する。
【００２０】
つぎに、本発明の燃料電池スタック２３への装着部材４１（たとえば、セル電圧モニタ用コネクタ４１、ただし、装着部材はセル電圧モニタ用コネクタに限るものではない）の装着方法とその装置５０の作用・効果を説明する。
本発明の燃料電池スタック２３への装着部材４１（たとえば、セル電圧モニタ用コネクタ４１）の装着方法では、複数の装着部材４１（たとえば、セル電圧モニタ用コネクタ４１）を（可撓テープ４２に列状に粘着させるなどして）連結体４０を形成しておき、移動治具６０を固定治具５１に対して移動させるという１操作で、連結体４０の列状に並んでいる複数の装着部材４１（たとえば、セル電圧モニタ用コネクタ４１）を、列の一端の装着部材から他端の装着部材まで、順に、燃料電池スタック２３のセル１０のセパレータ１８に装着していくことができ、従来のように１つずつコネクタを装着していた場合（したがってコネクタの数だけの工数を要していた場合）に比べて、組み付け工数が低減し、装着部材４１（たとえば、セル電圧モニタ用コネクタ４１）の燃料電池スタック２３のセパレータ１８への装着（取付け）を効率よく（生産性よく）行うことができる。
【００２１】
また、本発明の燃料電池スタック２３への装着部材４１（たとえば、セル電圧モニタ用コネクタ４１、ただし、装着部材はセル電圧モニタ用コネクタに限るものではない）の装着装置５０によれば、装着装置５０が固定治具５１と移動治具６０を有し、移動治具６０が、装着部材４１を一体的に連結し装着部材連結体４０をスライド可能に保持する連結体保持部６１を備えているので、移動治具６０を固定治具５１に対して移動させるという１工数（１操作）で、装着部材連結体４０の列状に並んでいる複数の装着部材４１（たとえば、セル電圧モニタ用コネクタ４１、ただし、装着部材はセル電圧モニタ用コネクタに限るものではない）を順に燃料電池スタック２３（のセル１０のセパレータ１８）に装着していくことができ、従来のように１つずつコネクタを装着していた場合（したがってコネクタの数だけの工数を要していた場合）に比べて、組み付け工数が低減し、装着部材４１の燃料電池スタック２３への装着を効率よく行うことができる。また、移動治具６０がＵターン部６２を備えているので、移動治具６０の送り方向後ろ側から移動治具６０の前端に、装着部材連結体４０の未装着装着部材４１（たとえば、セパレータ１８にまだ装着されていないコネクタ）を順次供給していくことができ、装着部材連結体４０の未装着装着部材４１が現在装着されつつある装着部材の装着の邪魔にならず、かつ、現在装着されつつある装着部材の装着状況を目視することができ、装着を容易、かつ確実にする。
【図面の簡単な説明】
【００２２】
【図１】本発明の燃料電池スタックへの装着部材（たとえば、セル電圧モニタ用コネクタ、温度センサ等、各種のコネクタ、センサを含む）装着方法を実施している状態の、本発明の燃料電池スタックへの装着部材（たとえば、セル電圧モニタ用コネクタ、温度センサ等、各種のコネクタ、センサを含む）装着装置の一部の斜視図である。
【図２】図１の装置の一部の拡大側面図である。
【図３】図２の装置の一部の拡大側面図である。
【図４】図２の装置の一部の拡大断面図であり、図２のＡ−Ａ断面図である。
【図５】図１の装置の固定治具の平面図である。
【図６】図５の装置の固定治具の（燃料電池スタックに装着した場合に燃料電池スタック側面から見た方向を固定治具の正面とした場合の）正面図である。
【図７】図５の装置の固定治具の（燃料電池スタックに装着した場合に燃料電池スタック側面から見た方向を固定治具の正面とした場合の）側面図である。
【図８】本発明の燃料電池スタックへの装着部材（たとえば、セル電圧モニタ用コネクタ、温度センサ等、各種のコネクタ、センサを含む）装着方法が適用される燃料電池スタックの側面図である。
【図９】図８の燃料電池スタックの一部の拡大断面図である。
【図１０】図８の燃料電池スタックのセパレータの正面図である。
【符号の説明】
【００２３】
１０  （固体高分子電解質型）燃料電池
１１  電解質膜
１３、１６  拡散層
１４  アノード
１７  カソード
１８  セパレータ
１９  セル
２０  ターミナル
２１  インシュレータ
２２  エンドプレート
２３  燃料電池スタック
２４  締結部材（テンションプレート）
２５  ボルト・ナット
２６  冷媒流路（流体流路）
２７  燃料ガス流路（流体流路）
２８  酸化ガス流路（流体流路）
２９  冷媒マニホールド（流体マニホールド）
３０  燃料ガスマニホールド（流体マニホールド）
３１  酸化ガスマニホールド（流体マニホールド）
３２  ガスケット
３３  接着剤
４０  装着部材連結体
４１  装着部材（たとえば、セル電圧モニタ用コネクタ、温度センサ等、各種のコネクタ、センサを含む）
４１ａ  ハウジングのコ字の両脚
４１ｂ  ハウジングのコ字の両脚連結部
４２  可撓テーム
５０  燃料電池スタックへの装着部材（たとえば、セル電圧モニタ用コネクタ、温度センサ等、各種のコネクタ、センサを含む）装着装置
５１  固定治具
５２  セル積層方向伸長部
５３  引っかけ部
５４、５５  上下ガイド面
５６  横ガイド面
６０  移動治具
６１  連結体保持部
６２  Ｕターン部
６３  突起
６４、６５  上下壁
【図１】
2006339100.tif 000003
【図２】
2006339100.tif 000004
【図３】
2006339100.tif 000005
【図４】
2006339100.tif 000006
【図５】
2006339100.tif 000007
【図６】
2006339100.tif 000008
【図７】
2006339100.tif 000009
【図８】
2006339100.tif 000010
【図９】
2006339100.tif 000011
【図１０】
2006339100.tif 000012